(57)【要約】      （修正有）【課題】昼夜を問わず長期にわたり装飾性の高いパネル構造を提供する。【解決手段】透明又は透光性を有する材質で形成されたパネル本体３と、前記パネル本体３に備えられ、パネル本体３内を光により装飾する発光部８とで構成されており、パネル本体は、前壁と後壁３１と左壁３２と右壁３３と、前記前壁と後壁３１と左壁３２と右壁３３とで形成される内部空間を、パネル本体３の横幅方向で複数個の空間に分割する複数個の幅方向隔壁３４とで構成され、前記複数個の空間は、それぞれが上下でパネル本体３外方と連通し、パネル本体３の高さ方向に貫通した空間Ｓに形成されており、発光部８は、前記各空間Ｓの全てあるいは任意の空間の上方側にそれぞれ配設され、前記複数個の空間Ｓの貫通方向で下方への指向性が高い発光ダイオード１０である。【選択図】図２
0003148294.tif 000002
【実用新案登録請求の範囲】
【請求項１】
透明又は透光性を有する材質で形成されたパネル本体と、
前記パネル本体に備えられ、パネル本体内を光により装飾する発光部とで構成されており、
パネル本体は、前壁と後壁と左壁と右壁と、前記前壁と後壁と左壁と右壁とで形成される内部空間を、パネル本体の横幅方向で複数個の空間に分割する複数個の幅方向隔壁とで構成され、
前記複数個の空間は、それぞれが上下でパネル本体外方と連通し、パネル本体の高さ方向に貫通した筒状空間に形成されており、
発光部は、全てあるいは任意の筒状空間の上方側にそれぞれ配設され、前記筒状空間の貫通方向で下方への指向性が高い発光ダイオードであることを特徴とするパネル構造。
【請求項２】
透明又は透光性を有する材質で形成されたパネル本体と、
前記パネル本体に備えられ、パネル本体内を光により装飾する発光部とで構成されており、
パネル本体は、前壁と後壁と左壁と右壁と、前記前壁と後壁と左壁と右壁とで形成される内部空間を、パネル本体の横幅方向で複数個の空間に分割する複数個の幅方向隔壁とで構成され、
前記複数個の空間は、それぞれが上下でパネル本体外方と連通し、パネル本体の高さ方向に貫通した筒状の空間に形成されており、
発光部は、全てあるいは任意の筒状空間の下方側にそれぞれ配設され、前記複数個の筒状の空間の貫通方向で上方への指向性が高い発光ダイオードであることを特徴とするパネル構造。
【請求項３】
透明又は透光性を有する材質で形成されたパネル本体と、
前記パネル本体に備えられ、パネル本体内を光により装飾する発光部とで構成されており、
パネル本体は、前壁と後壁と左壁と右壁と、前記前壁と後壁と左壁と右壁とで形成される内部空間を、パネル本体の横幅方向で複数個の空間に分割する複数個の幅方向隔壁とで構成され、
前記複数個の空間は、それぞれが上下でパネル本体外方と連通し、パネル本体の高さ方向に貫通した筒状の空間に形成されており、
発光部は、全てあるいは任意の筒状空間内でそれぞれ複数個ずつ貫通方向に向けて並設され、パネル本体の前壁方向への指向性が高い発光ダイオードであることを特徴とするパネル構造。
【請求項４】
発光ダイオードは、筒状空間の上端側に内装されていることを特徴とする請求項１に記載のパネル構造。
【請求項５】
パネル本体の上端部に長尺板状の基板が備えられ、
発光ダイオードは、パネル本体の上端部と対向する前記長尺板状の基板内面で、基板の長さ方向に並設されて、パネル本体の筒状空間の上端側に内装されており、
前記基板内面の末端で、前記各発光ダイオードとパネル本体外に備えられる制御回路側とを電気的に接続するコネクタを備えていることを特徴とする請求項１に記載のパネル構造。
【請求項６】
基板は、パネル本体の上端部に着脱可能に備えられていることを特徴とする請求項５に記載のパネル構造。
【請求項７】
基板は、パネル本体の上端部に固定されることなく配設され、
その基板上を覆うようにしてパネル本体に着脱可能なパネルカバーを備えることで、基板が、パネル本体の上端部に着脱可能に備えられることを特徴とする請求項５に記載のパネル構造。
【請求項８】
パネル本体の左壁の上端と右壁の上端および幅方向隔壁の上端が、前壁の上端と後壁の上端よりも平面上で低く形成することにより、パネル本体の上端側に、基板を着脱可能に収容する基板収容部が凹状に設けられ、基板がパネルの上端側に突出しないことを特徴とする請求項７に記載のパネル構造。
【請求項９】
パネル本体の左壁あるいは右壁のいずれかあるいは双方が、前壁の左側端部と後壁の左側端部あるいは前壁の右側端部と後壁の右側端部のいずれかあるいは双方よりも平面上で内側に位置するように構成することにより、パネル本体の左壁側あるいは右壁側のいずれかあるいは双方に、コネクタを収容可能なコネクタ収容部が凹状に設けられ、コネクタが、パネルの左壁側あるいは右壁側に突出しないことを特徴とする請求項８に記載のパネル構造。
【請求項１０】
パネル本体の横幅方向で設けられている複数個の筒状空間は、
パネル本体の厚さ方向に備えたそれぞれ一個乃至複数個の厚さ方向隔壁により、パネル本体の厚さ方向でそれぞれ細分割されていることを特徴とする請求項１乃至７のいずれかに記載のパネル構造。
【請求項１１】
パネル本体の横幅方向で設けられている複数個の筒状空間は、
パネル本体の厚さ方向に備えたそれぞれ一個乃至複数個の厚さ方向隔壁により、パネル本体の厚さ方向でそれぞれ細分割されており、
前記厚さ方向隔壁の上端が、前壁の上端と後壁の上端よりも平面上で低く形成されていることを特徴とする請求項８又は９に記載のパネル構造。
【請求項１２】
透明又は透光性を有する材質で形成されたパネル本体と、
前記パネル本体に備えられ、パネル本体内を光により装飾する発光部とで構成されており、
パネル本体は、前壁と後壁と上壁と下壁と、前記前壁と後壁と上壁と下壁とで形成される内部空間を、パネル本体の高さ方向で複数個の空間に分割する複数個の高さ方向隔壁とで構成され、
前記複数個の空間は、それぞれが左右端側でパネル本体外方と連通し、パネル本体の横幅方向に貫通した筒状空間に形成されており、
発光部は、全てあるいは任意の筒状空間の左端側と右端側のいずれか一方若しくは双方に配設され、前記筒状空間の貫通方向に指向性が高い発光ダイオードであることを特徴とするパネル構造。
【請求項１３】
パネル本体の高さ方向で設けられている複数個の筒状空間は、
パネル本体の厚さ方向に備えたそれぞれ一個乃至複数個の厚さ方向隔壁により、パネル本体の厚さ方向でそれぞれ細分割されていることを特徴とする請求項１２に記載のパネル構造。
【請求項１４】
パネル本体が、ポリカーボネートで形成されていることを特徴とする請求項１乃至１３のいずれかに記載のパネル構造。
【請求項１５】
パネル本体が、押出成形により一体成形されていることを特徴とする請求項１乃至１４のいずれかに記載のパネル構造。
【請求項１６】
パネル本体に設けられた複数の筒状空間は、
発光部と接続された制御回路により、所定の筒状空間に配設された発光ダイオードのみ発光するように制御されていることを特徴とする請求項１乃至１５のいずれかに記載のパネル構造。
【請求項１７】
所定の筒状空間に配設された発光ダイオードは、所定の設定時間になった時のみ所定時間の間だけ発光するように制御されていることを特徴とする請求項１６に記載のパネル構造。
【請求項１８】
複数の筒状空間毎に、設定時間が異なっていることを特徴とする請求項１７に記載のパネル構造。
【請求項１９】
複数枚のパネルを連ねて配設することで所定区域の内側と外側とを仕切る仮囲いであって、前記パネルに請求項１乃至１８に記載のパネル構造を利用したことを特徴とする仮囲い。
【請求項２０】
隣り合って配設されるパネルの間には、それぞれのパネルを支持する支柱が備えられ、
支柱は、平面視でＨ形状に形成され、左右両側には隣り合うパネルを差し込み収容可能なパネル高さ方向に連続する差し込み空間が設けられていることを特徴とする請求項１９に記載の仮囲い。
【考案の詳細な説明】
【技術分野】
【０００１】
本考案は、光による装飾効果を高めたパネル構造であって、例えば、施工現場区域の内側(施工現場内)と外側(施工現場外)を一時的に仕切るための仮囲いなどに用いられるパネル構造に関する。なお、本考案において「装飾」とは、「光によりパネルを飾る」ことを意味するのみならず、光によりパネルを飾ることで安全性を高めることをも意味するものである。
【背景技術】
【０００２】
従来から、建築物や建造物用の用地の保全や、建築工期中の敷地の安全確保のため、任意の区域の周囲に板材を建て付け、用地や敷地の内外を仕切ることによって、部外者の侵入や建設部材の飛散を防止し、敷地隣接地の安全を確保するために、仮囲いを一時的に設置している。
そのような仮囲いには、一般的には鋼板製のパネルが使用されている。
【０００３】
鋼板製のパネルの場合、無機質であるため、街区の美観を損ねる傾向にあるとも言い得る。そこで、このような鋼板製のパネルを使用する場合にあっては、その前壁外面側に着色された合成樹脂層を設けて使用しているものもある（例えば、特許文献１参照）。
また、昨今はパネルの前壁外面に、その施工現場地域に融合し得るような様々な装飾を施しているものが見られる。例えば、前壁外面を、樹木や草花の絵又は写真などで装飾したり、あるいは前壁外面を宣伝広告スペースとして使用することで、仮囲い自体を宣伝広告の絵や写真で装飾したりすることも見受けられている。
【特許文献１】特開平１１−１３１８１９号公報
【０００４】
しかし、このような従来の仮囲いの場合、次のような課題が未だに解決されていないものと考えられる。
(１)前壁外面を絵や写真などで装飾する形態の場合、仮囲い設置当初は美観向上として機能するが、工期が長期にわたる場合には、前壁外面に施した絵や写真が擦れてしまい、かえって周辺の景観を損ねてしまうということもある。もちろん、広告宣伝機能も損ねてしまう点では同様である。
(２)夜間などにあっては視認性が悪く、装飾効果が極めて低くなるばかりか、安全性の面で改良の余地があるとも考えられる。すなわち、視認性が低いことから、特にコーナー部分などにあっては歩行者や自転車などが接触したりする虞があり、怪我や被服などの損傷を招く虞もあると考えられる。
また、宣伝広告スペースとして前壁外面を使用している場合にあっては、街路灯などの光では暗く、宣伝広告としての効果は半減してしまうと考えられる。さらに、街路灯のない場所では全くと言っていいほど広告宣伝効果は発揮されないものである。
【考案の開示】
【考案が解決しようとする課題】
【０００５】
本考案は、上記問題点を解決するためになされており、その目的は、昼夜を問わず長期にわたり装飾性の高いパネル構造を提供することである。
【課題を解決するための手段】
【０００６】
上記課題を達成するために、本考案が成した第１の技術的手段は、透明又は透光性を有する材質で形成されたパネル本体と、
前記パネル本体に備えられ、パネル本体内を光により装飾する発光部とで構成されており、
パネル本体は、前壁と後壁と左壁と右壁と、前記前壁と後壁と左壁と右壁とで形成される内部空間を、パネル本体の横幅方向で複数個の空間に分割する複数個の幅方向隔壁とで構成され、
前記複数個の空間は、それぞれが上下でパネル本体外方と連通し、パネル本体の高さ方向に貫通した筒状空間に形成されており、
発光部は、全てあるいは任意の筒状空間の上方側にそれぞれ配設され、前記筒状空間の貫通方向で下方への指向性が高い発光ダイオードであることを特徴とするパネル構造としたことである。
【０００７】
第２の技術的手段は、透明又は透光性を有する材質で形成されたパネル本体と、
前記パネル本体に備えられ、パネル本体内を光により装飾する発光部とで構成されており、
パネル本体は、前壁と後壁と左壁と右壁と、前記前壁と後壁と左壁と右壁とで形成される内部空間を、パネル本体の横幅方向で複数個の空間に分割する複数個の幅方向隔壁とで構成され、
前記複数個の空間は、それぞれが上下でパネル本体外方と連通し、パネル本体の高さ方向に貫通した筒状の空間に形成されており、
発光部は、全てあるいは任意の筒状空間の下方側にそれぞれ配設され、前記複数個の筒状の空間の貫通方向で上方への指向性が高い発光ダイオードであることを特徴とするパネル構造としたことである。
【０００８】
第３の技術的手段は、透明又は透光性を有する材質で形成されたパネル本体と、
前記パネル本体に備えられ、パネル本体内を光により装飾する発光部とで構成されており、
パネル本体は、前壁と後壁と左壁と右壁と、前記前壁と後壁と左壁と右壁とで形成される内部空間を、パネル本体の横幅方向で複数個の空間に分割する複数個の幅方向隔壁とで構成され、
前記複数個の空間は、それぞれが上下でパネル本体外方と連通し、パネル本体の高さ方向に貫通した筒状の空間に形成されており、
発光部は、全てあるいは任意の筒状空間内でそれぞれ複数個ずつ貫通方向に向けて並設され、パネル本体の前壁方向への指向性が高い発光ダイオードであることを特徴とするパネル構造としたことである。
【０００９】
第４の技術的手段は、第１の技術的手段において、発光ダイオードは、筒状空間の上端側に内装されていることを特徴とするパネル構造としたことである。
【００１０】
第５の技術的手段は、第１の技術的手段において、パネル本体の上端部に長尺板状の基板が備えられ、
発光ダイオードは、パネル本体の上端部と対向する前記長尺板状の基板内面で、基板の長さ方向に並設されて、パネル本体の筒状空間の上端側に内装されており、
前記基板内面の末端で、前記各発光ダイオードとパネル本体外に備えられる制御回路側とを電気的に接続するコネクタを備えていることを特徴とするパネル構造としたことである。
【００１１】
第６の技術的手段は、第５の技術的手段において、基板は、パネル本体の上端部に着脱可能に備えられていることを特徴とするパネル構造としたことである。
【００１２】
第７の技術的手段は、第５の技術的手段において、基板は、パネル本体の上端部に固定されることなく配設され、
その基板上を覆うようにしてパネル本体に着脱可能なパネルカバーを備えることで、基板が、パネル本体の上端部に着脱可能に備えられることを特徴とするパネル構造としたことである。
【００１３】
第８の技術的手段は、第７の技術的手段において、パネル本体の左壁の上端と右壁の上端および幅方向隔壁の上端が、前壁の上端と後壁の上端よりも平面上で低く形成することにより、パネル本体の上端側に、基板を着脱可能に収容する基板収容部が凹状に設けられ、基板がパネルの上端側に突出しないことを特徴とするパネル構造としたことである。
【００１４】
第９の技術的手段は、第８の技術的手段において、パネル本体の左壁あるいは右壁のいずれかあるいは双方が、前壁の左側端部と後壁の左側端部あるいは前壁の右側端部と後壁の右側端部のいずれかあるいは双方よりも平面上で内側に位置するように構成することにより、パネル本体の左壁側あるいは右壁側のいずれかあるいは双方に、コネクタを収容可能なコネクタ収容部が凹状に設けられ、コネクタが、パネルの左壁側あるいは右壁側に突出しないことを特徴とするパネル構造としたことである。
【００１５】
第１０の技術的手段は、第１乃至第７のいずれかの技術的手段において、パネル本体の横幅方向で設けられている複数個の筒状空間は、
パネル本体の厚さ方向に備えたそれぞれ一個乃至複数個の厚さ方向隔壁により、パネル本体の厚さ方向でそれぞれ細分割されていることを特徴とするパネル構造としたことである。
【００１６】
第１１の技術的手段は、第８又は第９の技術的手段において、パネル本体の横幅方向で設けられている複数個の筒状空間は、
パネル本体の厚さ方向に備えたそれぞれ一個乃至複数個の厚さ方向隔壁により、パネル本体の厚さ方向でそれぞれ細分割されており、
前記厚さ方向隔壁の上端が、前壁の上端と後壁の上端よりも平面上で低く形成されていることを特徴とするパネル構造としたことである。
【００１７】
第１２の技術的手段は、透明又は透光性を有する材質で形成されたパネル本体と、
前記パネル本体に備えられ、パネル本体内を光により装飾する発光部とで構成されており、
パネル本体は、前壁と後壁と上壁と下壁と、前記前壁と後壁と上壁と下壁とで形成される内部空間を、パネル本体の高さ方向で複数個の空間に分割する複数個の高さ方向隔壁とで構成され、
前記複数個の空間は、それぞれが左右端側でパネル本体外方と連通し、パネル本体の横幅方向に貫通した筒状空間に形成されており、
発光部は、全てあるいは任意の筒状空間の左端側と右端側のいずれか一方若しくは双方に配設され、前記筒状空間の貫通方向に指向性が高い発光ダイオードであることを特徴とするパネル構造としたことである。
【００１８】
第１３の技術的手段は、第１２の技術的手段において、パネル本体の高さ方向で設けられている複数個の筒状空間は、
パネル本体の厚さ方向に備えたそれぞれ一個乃至複数個の厚さ方向隔壁により、パネル本体の厚さ方向でそれぞれ細分割されていることを特徴とするパネル構造としたことである。
【００１９】
第１４の技術的手段は、第１乃至第１３のいずれかの技術的手段において、パネル本体が、ポリカーボネートで形成されていることを特徴とするパネル構造としたことである。
【００２０】
第１５の技術的手段は、第１乃至第１４のいずれかの技術的手段において、パネル本体が、押出成形により一体成形されていることを特徴とするパネル構造としたことである。
【００２１】
第１６の技術的手段は、第１乃至第１５のいずれかの技術的手段において、パネル本体に設けられた複数の筒状空間は、
発光部と接続された制御回路により、所定の筒状空間に配設された発光ダイオードのみ発光するように制御されていることを特徴とするパネル構造としたことである。
【００２２】
第１７の技術的手段は、第１６の技術的手段において、所定の筒状空間に配設された発光ダイオードは、所定の設定時間になった時のみ所定時間の間だけ発光するように制御されていることを特徴とするパネル構造としたことである。
【００２３】
第１８の技術的手段は、第１７の技術的手段において、複数の筒状空間毎に、設定時間が異なっていることを特徴とするパネル構造としたことである。
【００２４】
第１９の技術的手段は、複数枚のパネルを連ねて配設することで所定区域の内側と外側とを仕切る仮囲いであって、前記パネルに第１乃至第１８の技術的手段のいずれかのパネル構造を利用したことを特徴とする仮囲いとしたことである。
【００２５】
第２０の技術的手段は、第１９の技術的手段において、隣り合って配設されるパネルの間には、それぞれのパネルを支持する支柱が備えられ、
支柱は、平面視でＨ形状に形成され、左右両側には隣り合うパネルを差し込み収容可能なパネル高さ方向に連続する差し込み空間が設けられていることを特徴とする仮囲いとしたことである。
【考案の効果】
【００２６】
本考案によれば、昼夜を問わず長期にわたり装飾性の高いパネル構造を提供することができた。
【考案を実施するための最良の形態】
【００２７】
以下、本考案に係るパネル構造の一実施の形態について、添付図面に基づいて説明する。なお、本実施形態は本考案の一実施形態にすぎず、何等これらに限定して解釈されるものではなく、本考案の範囲内で設計変更可能である。
【実施例１】
【００２８】
本考案の最適な実施形態として、例えば建築現場区域とその現場区域以外とを仕切るために配設される仮囲い（図１参照）を構成するパネル構造を、第一の実施形態として挙げて以下説明する。
本実施形態のパネル構造は、パネル本体３と、発光部とで構成されている。
【００２９】
例えば、建築現場区域とその現場区域以外との境界付近に多数の管材からなる支持構造物４を組み立てて設置し、その指示構造物４の横桟４１の長さ方向に所定の間隔をあけるとともに、固定部材（フック５１、クランプ５２）でそれぞれ複数個の支柱２を連結して所定間隔で配設する。
そして、その隣り合う支柱２，２、２，２…の間に本考案のパネル構造を一枚ずつ組み込んで配設していく。この作業を所定領域にわたって行うことで、仮囲い１が現場に配設される（図１参照。）。
【００３０】
支柱２は、特に限定されるものではないが、本実施形態では、例えば平面視でＨ字形状に形成され、左右両側には、隣り合うパネル構造を差し込み収容可能なパネル高さ方向Ｈ１に連続するパネル差し込み空間２０，２０が設けられている。
また、支柱２には、前記横桟４１に連結する固定部材のネジが挿入固定可能な止め孔２１が、支柱２の長さ方向（高さ方向Ｈ１）で所定の間隔をあけて複数個設けられている。この止め孔２１は特に限定されず、使用される固定部材のネジ部との関係で適宜変更可能である。
支柱２の構造・材質などは特に限定されるものではなく本考案の範囲内で設計変更可能である。材質は、一般的な鋼板製であっても良いが、例えば後述するパネル本体３と同様に、透明又は透光性を有する合成樹脂材で一体成形されるものであれば、パネル本体３との一体性に優れるとともに、成形性にも優れている。また、後述する発光部を支柱２にも配設するものとすれば光による装飾性がさらに高まる。
【００３１】
パネル本体３は、透明又は透光性を有する材質で、例えば押出成形により、パネル全体の厚さ方向Ｌ１に所定厚みを有するとともに、高さ方向Ｈ１に所定の高さを有し、かつ横幅方向Ｗ１に所定の幅を有した正面視で矩形の中空平板状に一体成形されている（図１乃至図７参照。）。
本実施形態では、透明なパネル本体３を提供するために、ポリカーボネート（Polycarbonate）を採用する。
なお、パネル本体３を構成する材質は、ポリカーボネートが透明性・強度などを考慮すると最も好ましいが、透明又は透光性を有する材質であれば、塩化ビニル樹脂などの他の樹脂材料が本考案の範囲内で適宜選択採用可能である。また、パネル本体３は本実施形態で押出成形によって一体成形するものとしたが、パネル本体３の成形方法はこれに限定されるものではなく、他の周知方法が本考案の範囲内で設計変更可能である。
【００３２】
パネル本体３は、詳細には次の構成からなっている。
所定厚みをもって形成された平板状の前壁３０と、該前壁３０と同一形状で、かつ平行状に設けられた平板状の後壁３１と、前壁３０や後壁３１と略同一の厚みを有するとともに、前壁３０や後壁３１と比して細幅の細長平板状に形成され、前壁３０と後壁３１に直交状に設けた左壁３２と、該左壁３２と同一形状で、かつ平行状に設けられた細長平板状の右壁３３を有している。
また、前記前壁３０と後壁３１と左壁３２と右壁３３とで形成される平面視で細長矩形状の内部空間を、前記前壁３０と後壁３１の内面間にわたって架け渡して、パネル本体３の横幅方向Ｗ１で並設する複数個の空間に分割する複数個の幅方向隔壁３４を有している。
さらに、その横幅方向Ｗ１に並設される各空間を、それぞれ厚さ方向Ｌ１の複数個の細長の筒状空間Ｓに細分割する複数個の厚さ方向隔壁３５を有している。前記細長の筒状空間Ｓは、それぞれが上下でパネル本体３の外方と連通し、パネル本体３の高さ方向Ｈ１に貫通した空間に形成されている。
【００３３】
本実施形態では、図３及び図５に示すように、前記左壁３２の上端３２ａと右壁３３の上端３３ａ、および前記幅方向隔壁３４の上端３４ａと厚さ方向隔壁３５の上端３５ａが、それぞれ前壁３０の上端３０ａと後壁３１の上端３１ａよりも平面上で低く形成されている。
なお、前記幅方向隔壁３４の上端３４ａと厚さ方向隔壁３５の上端３５ａは、それぞれ平面上で同一高さに形成されている。
このような構成を採用することにより、本実施形態では、パネル本体３の上端側には、後述する発光部８の基板９を着脱可能に収容する基板収容部６が、平面視矩形状で、かつ凹状に設けられることとなる。
このようにパネル本体３の上端側に、基板収容部６が凹状に設けられるため、基板９が凹状内に収容されてパネル本体３の上端側に突出しない。
【００３４】
さらに本実施形態では、図３及び図７に示すように、前記左壁３２と右壁３３の双方が、パネル本体３の左側（図３で左側）及び右側（図３で右側）において、内方側に向けて所定距離だけ窪んだ形態に形成されている。
詳しくは、前記左壁３２と右壁３３の双方が、前壁３０の左側端部３０ｂと後壁３１の左側端部３１ｂ及び前壁３０の右側端部３０ｃと後壁３１の右側端部３１ｃの双方よりも、平面上で内側に位置するように構成されている（図３及び図７参照。）。
これにより、パネル本体３の左壁３２側と右壁３３側の双方に、コネクタ１１を収容可能なコネクタ収容部７が、パネル本体３の高さ方向Ｈ１にわたって連続した凹状に設けられることとなるため、コネクタ１１が、パネル本体３の左壁３２側あるいは右壁３３側に突出しない形状となる。
なお、本実施形態では、後述する発光部８は図面（例えば図３）上で左側にのみコネクタ１１を備えているものであるため、パネル本体３の左壁側にのみ上述したコネクタ収容部７があるものでも足りる。すなわち、発光部形態によっては、コネクタ収容部７は、パネル本体３の左壁３２側か右壁３３側のいずれかにのみ設けられているものでよい（コネクタ１１が突出する側にのみ設けられるものであればよい）ため、パネル本体３の左壁３２側のみであっても右壁３３側のみであってもよく、特に限定解釈されるものではなくいずれも本考案の範囲内である。
【００３５】
このようにコネクタ収容部７を設けた場合、上述したように発光部８のコネクタ１１が、パネル本体３の左壁３２側のコネクタ収容部７に突出することなく収容されるため、次のような作用効果を奏することとなる。
すなわち、支柱２とともに本実施形態のパネル構造をもって仮囲い１を形成する場合、上述したように、本考案のパネル構造を構成しているパネル本体３の左壁３２側と右壁３３側を、隣り合う支柱２，２の向かい合うパネル差し込み空間２０，２０に差し込んで支柱２，２間に配設する。
このとき、パネル本体３の左壁３２側は支柱２の差し込み空間２０に差し込まれているため、コネクタ収容部７は前記差し込み空間２０によって覆われた状態となる。従って、コネクタ収容部７に収容されているコネクタ（発光部側のコネクタ１１）と、このコネクタ１１に接続されて、発光部８の発光ダイオード１０とパネル本体３外に備えられる制御回路１２側とを電気的に接続するコネクタ（回路側のコネクタ１３）及び配線１４は、前記コネクタ収容部７と前記差し込み空間２０によって覆われた状態となる。
なお、本実施形態では、支柱２の下端部を、後述する支柱下カバー１７で覆っているため、前記支柱下カバー１７には、前記配線１４を外方に案内するためのガイド孔１７ｂが設けられている（図２及び図８（ｃ）参照。）。
【００３６】
また、発光部がコネクタを有することなく直接制御回路とつながっている形態の場合には、このようなコネクタ収容部７を有しない形態であってもよい。このような形態の場合、例えば基板から延びた配線をパネル本体３の裏側に廻してもよく、配線の這いまわし方は設計変更可能である。
なお、コネクタ収容部７を有していれば、前記配線は、このコネクタ収容部を経由して這いまわすことも可能である。
【００３７】
発光部８は、パネル本体３に備えられ、パネル本体３内を光により装飾するもので、具体的には発光ダイオード１０が用いられる。
【００３８】
本実施形態の発光部８は、前記基板収容部６に収まる程度の厚さ方向幅（厚さ方向Ｌ１）と高さ（高さ方向Ｈ１）を有し、左壁３２と右壁３３との間の距離よりも長く、かつ前壁３０・後壁３１よりも短く形成された長尺板状の基板９と、前記長尺板状の基板９の内面（パネル本体３の上端部と対向する面）９ａで、基板９の長さ方向Ｗ２に並設される複数個の発光ダイオード１０と、前記基板内面９ａの末端で、前記各発光ダイオード１０とパネル本体３外に備えられる制御回路１２側とを電気的に接続するコネクタ１１を備えている。
発光ダイオード１０は、本実施形態では、厚さ方向隔壁３５によってパネル本体３の前後方向に分割された前方側の空間（前壁３０寄りの空間）Ｓの全ての各上端側に内装されている。
【００３９】
発光ダイオード１０は、空間Ｓの貫通方向で下方（図２，３で矢印Ｘで示す方向）への指向性が高い発光ダイオードが適用され、赤色、青色、黄緑色など現在周知若しくは将来考えられ得る色の発光ダイオードは本考案の範囲内である。
なお、本実施形態では、前壁３０寄りの全ての空間Ｓに発光ダイオード１０が内装された形態であるが、任意の空間Ｓを選択して配設することも可能で本考案の範囲内で設計変更可能である。また、本実施形態では、一つ一つの空間Ｓに内装される発光ダイオード１０は２個とし、青色発光ダイオードと赤色発光ダイオードが一つずつ備えられている。なお、発光ダイオード１０の外観形状や組合せなどは特に限定されるものではない。一つ一つの空間Ｓにはそれぞれ１個の発光ダイオード１０しか配設しない形態であっても本考案の範囲内である。赤色発光ダイオードと青色発光ダイオードが交互に配設されるものや、赤色・赤色、青色・青色などのように同一色の発光ダイオードが複数ずつ交互に配設されるものであってもよい。
【００４０】
発光ダイオード１０の発光パターンは特に限定されず、使用形態に応じて、制御回路１２を制御調整することで種々選択変更可能である。例えば、同一色を所定時間連続して発光させるように制御してもよい。
また、所定時間毎に断続で発光させるように制御してもよい。また、青色と赤色を交互に発光させたり同時に発光させたり制御することも可能である。
【００４１】
また、本実施形態では、パネル本体３の上端部を覆うパネルカバー１５と、支柱２の上端部を覆う支柱上カバー１６と下端部を覆う支柱下カバー１７を備えている（図１乃至図８参照。）。
【００４２】
パネルカバー１５は、本実施形態では、パネル本体３の左壁３２と右壁３３との間の距離Ｗ３と略同一の長さを有するとともに、前壁３０と後壁３１とに緊密に嵌る程度の断面視コの字状に形成されている。
【００４３】
支柱上カバー１６と支柱下カバー１７は、支柱２の前壁２ａと後壁２ｂの横幅方向Ｗ１の寸法と略同一の幅を有するとともに、支柱２の前後壁２ａ，２ｂに緊密に嵌る程度の断面視コの字状にそれぞれ形成されている。
また、支柱上カバー１６と支柱下カバー１７には、ボルト孔１６ａ，１７ａが設けられており、支柱２とボルト止めされる。
また、支柱下カバー１７は、支柱２の差し込み空間２０の下端領域で、パネル本体３の下端を受ける受部材としても機能している（図２参照。）。
【００４４】
パネルカバー１５及び支柱上カバー１６と支柱下カバー１７は、透明な材質で形成されている。例えばパネル本体３と同様に、透明性の高いポリカーボネートで形成されている。また、パネルカバー１５及び支柱上カバー１６と支柱下カバー１７は、特にその材質に限定されるものではなく、例えば他の透明な合成樹脂材や透光性を有する合成樹脂材、あるいは、鉄やアルミニウム等の金属によって形成されていても良い。
【００４５】
なお、上述した支柱２及びパネル本体３の高さ寸法や幅寸法は、仮囲いとして設置した場合に、部外者の侵入や建設部材の飛散を防止し得る程度の所定の高さや幅を有するように設定されていれば良く、使用環境や需要に応じて変更可能であり、特に限定はされない。
【００４６】
本実施形態によれば、高さ方向に貫通する複数の細長の筒状空間Ｓに、それぞれの筒状空間Ｓの上方から下方への指向性の高い発光ダイオード１０を配設したため、それぞれの筒状空間Ｓ毎に、空間全域にわたって細長状に発光する。
従って、パネル本体３の高さ方向の広い範囲で、かつパネル本体３の幅方向で細長の筒状空間Ｓ領域毎に細長状の様々なパターンの発光装飾が提供できるため、装飾効果が高いとともに、視認性が高く注意を促し易いため、安全性が極めて高いものである。
【００４７】
また、本実施形態によれば、パネル本体３の上端には、発光部８の基板９をパネル本体３の上端に突出しないように収容可能な基板収容部６が備えられているため、基板９の脱落による基板破損が防止できる。
【００４８】
また、本実施形態によれば、パネル本体３の左壁３２側に、凹状のコネクタ収容部７が備えられているため、仮囲い１配設時において、支柱２の差し込み空間２０にパネル本体３の左壁３２側を差し込むと、コネクタ収容部７は前記差し込み空間２０によって覆われた状態となる。
この時、コネクタ収容部７に収容されているコネクタ（発光部側のコネクタ１１）には、発光部８の発光ダイオード１０とパネル本体３外に備えられる制御回路１２側とを電気的に接続する配線１４がコネクタ（回路側のコネクタ１３）で接続されているため、これらコネクタ１１，１３及び配線１４は、全て前記コネクタ収容部７と前記差し込み空間２０によって覆われた状態となる。従って、配線関係がコネクタ収容部７と差し込み空間２０によってまとめられるため、煩雑とならずパネル周りの美観が向上するとともに、作業者や通行人が配線に引っ掛って怪我をしたり、断線を招いたりする虞も減少する。
【００４９】
さらに、本実施形態のように仮囲い１の支柱２，２間に組み込まれるパネルとして使用する場合、支柱２が透光性を有しない材質からなるものとすれば、コネクタ収容部７と差し込み空間２０によってまとめられた配線関係が、支柱２によって外部から直視されなくなるため、さらなる美的外観の向上につながる。
また、このように支柱２が透光性を有しない材質からなるものとすれば、支柱２，２で区画された領域毎に異なる発光装飾を施す形態とした場合であっても、支柱２，２で区画された隣り合う領域の装飾と交わることなく発光させることができる。これによれば、支柱２，２間で区切った領域毎に発光装飾を利用した広告スペースとして、異なる広告主への提供が可能となる。
【００５０】
本実施形態によれば、パネル本体３に並設して複数備えた細長の筒状空間Ｓ毎に、筒状空間Ｓの筒軸方向（パネル高さ方向Ｈ１）に指向性の高い発光ダイオード１０を配設するものとしているため、一つの空間Ｓ毎、あるいは並設した複数単位毎に発光させることが可能である。このような発光制御にあっては、制御回路１２を適宜制御することで可能である。
従って、このような発光形態が採用できるようになったため、広告スペースとして時間単位で貸すことも可能である。
すなわち、例えば、透明あるいは透光性を有するパネル本体３におけるそれぞれの筒状空間Ｓ毎に広告文字やマークなどを直接記載あるいは貼り付け等しておき、ある一定時間になると、そのうちの一つの筒状空間Ｓ（例えば、図２を直視した場合で右端の空間Ｓ）のみ全体が一定時間の間だけ発光して広告を発光装飾させる。また、前記筒状空間Ｓの隣の筒状空間Ｓ（例えば、図２を直視した場合で右端から二番目の空間Ｓ）にも同様に他の広告主の広告文字やマークを直接記載あるいは貼り付け等しておき、先の筒状空間Ｓ（例えば、図２を直視した場合で右端の空間Ｓ）の発光装飾が一定時間経過した後に、この筒状空間Ｓの隣の筒状空間Ｓ（例えば、図２を直視した場合で右端から二番目の空間Ｓ）のみ一定時間の間だけ発光させて広告を発光装飾させることができる。
【００５１】
さらに、このように時間毎に発光装飾する部分を選択可能とできるため、例えば、発光装飾させる時間によって広告料金体系を異にすることもでき、広告収入の増加も可能となる。例えば、仮囲い１を設置した周辺を通行する人が最も多い時間帯に発光装飾させる場合は高額な料金設定とし、深夜など人通りの少ない時間帯などに発光装飾させる場合には低額な料金設定とするなど、種々のバリエーションが採用可能である。
「変形例１」
【００５２】
本実施形態では、パネル本体３の内部空間を幅方向隔壁３４と、厚さ方向隔壁３５によって細分割した一形態をもって説明したが、パネル本体３は、少なくとも、幅方向隔壁３４によって内部空間をパネル本体３の横幅方向Ｗ１で複数個の空間に分割し、前記複数個の空間は、それぞれが上下でパネル本体３外方と連通し、パネル本体３の高さ方向Ｈ１に貫通した空間に形成されているものであればよい。また、その空間の数も限定されるものではなく任意である。
また、この内部空間は、さらに斜め方向の隔壁（図示せず）などを設けることで細分割することも可能で、このように細分割することで強度面の向上を図ることも可能である。
「変形例２」
【００５３】
本実施形態では、パネル本体３の上端側に、発光部８の基板９を着脱可能に収容する基板収容部６が凹状に設けられた実施の一形態をもって説明したが、本考案はこのような形態に限定解釈されるものではなく、前記基板収容部６を備えない形態であっても本考案の範囲内である。
すなわち、基板９は、パネル本体３の上端部に配設するだけで、凹状の収容部に収容するものではなく、単にパネルカバー１５で覆って保持する形態とすることも可能である。従って、このような形態の場合は、前壁３０の上端３０ａ、後壁３１の上端３１ａ、左壁３２の上端３２ａ、右壁３３の上端３３ａ、幅方向隔壁３４の上端３４ａ、厚さ方向隔壁３５の上端３５ａのそれぞれが平面上で同一高さに形成されていて構わない。また、基板９はパネル本体３の上端部に周知手段で固着してもよい。
「変形例３」
【００５４】
本実施例では、支柱２の左右両側に設けられている差し込み空間２０，２０に、パネル構造を１枚ずつ配した構成を説明したが、これに限定されず、差し込み空間２０の厚さ方向Ｌ１の範囲内であれば、本実施形態のパネル本体３よりも薄いパネル本体を複数枚重ね合わせた状態で配することも可能である。
また、複数枚のパネル本体は、それぞれの厚み寸法が均等でなくてもよい。
このように、厚さ方向Ｌ１にパネル本体を複数枚配することによって、仮囲いを設置した場合に、仮囲いの外部側または内部側の片側のパネル本体が破損しても、もう片側のパネル本体が残るので、仮囲いの機能が損なわれることがない。また、破損したパネル本体のみを交換すれば、仮囲いを完全な構成に復旧させることができる。
また、厚さ方向Ｌ１にパネル本体を複数枚配することによって、仮囲いの外側に配するパネル本体と内側に配するパネル本体の色を変えることが容易となる。すなわち、色違いのパネル本体を厚さ方向Ｌ１に組み合わせて仮囲いを設置しても良い。このように構成することで、発光部の発光色との組み合わせで種々の色彩が醸し出され、装飾性を高めることも可能である。
「変形例４」
【００５５】
本実施形態では、支柱２の両側の差し込み空間２０，２０を、同じサイズの空間として形成したが、これに限定されず、差し込み空間２０は片方だけ形成しても良い。このように形成すれば、仮囲いの端部などで、支柱の片側のみにパネル本体３が差し込まれる場合等であっても、支柱は、パネル本体が差し込まれない側に差し込み空間が存在しないので、外観的にすっきりとした形状になる。
「変形例５」
【００５６】
仮囲い１には、透光性を有さないパネル本体や、部分的に透光性を有さないパネル本体を用意して、透明るいは透光性を有するパネル本体３と組み合わせて設置しても良い。例えば、仮設トイレ等、外部から見られたくない設備の周りに透光性を有さないパネル本体を配せば、プライバシーを保護することもできるし、或いは、仮囲いの装飾的な効果を付加させるために、部分的に透光性を有さないパネル本体を配しても良い。なお、透光性を有さないパネル本体とするためには、パネル本体を形成する材質に透光性を有さない材質を選択しても良いし、または、透光性を有するパネル本体の全部または一部を着色しても良い。
【実施例２】
【００５７】
図９は、実施例２を示す。
本実施形態では、パネル本体３の各空間の貫通方向に複数個の発光ダイオード１００が並設されている実施の形態である。
パネル本体３にあっては実施例１と同様であるため、ここでの詳細な説明は省略する。
発光部８０は、前記空間Ｓ内で、かつ空間Ｓの貫通方向にわたって内装可能なフレキシブル性を有する基板９０と、基板９０の前面側（前壁３０の内面と対向する側  図面で右側）で、基板９０の長さ方向で所定間隔毎に配設された複数個の発光ダイオード１００とで構成されている。前記基板９０の下端側は、発光ダイオード１００に発光制御信号を送る図示しない制御回路側に接続されている。
なお、発光ダイオード１００は、パネル本体３の前壁３０方向（図中矢印Ｙ方向）への指向性の高いものとする。
また、本実施形態では、パネル本体３の上端部に基板を配設する形態ではないため、実施例１のように基板収容部６を備える必要性もない。従って、本実施形態の場合には、前壁３０の上端３０ａ、後壁３１の上端３１ａ、左壁３２の上端３２ａ、右壁３３の上端３３ａ、幅方向隔壁３４の上端３４ａ、厚さ方向隔壁３５の上端３５ａのそれぞれが平面上で同一高さに形成されているものでよい。
【実施例３】
【００５８】
本実施例は、特に図示しては説明しないが、実施例１と比した際に、パネル本体に設けた空間の貫通方向が異なっている形態である。
すなわち、パネル本体は、前壁と後壁と上壁と下壁と、前記前壁と後壁と上壁と下壁とで形成される内部空間を、パネル本体の高さ方向で複数個の空間に分割する複数個の高さ方向隔壁とで構成されている。
前記複数個の空間は、それぞれが左右端側でパネル本体外方と連通し、パネル本体の横幅方向に貫通した空間に形成されている。
従って、実施例１では、それぞれの空間がパネルの高さ方向に貫通しているのに対し、本実施例では、それぞれの空間がパネルの横幅方向（左右端方向）に貫通している点でのみ相違しているものである。
このようなパネル本体構成であるため、発光部は、左端側と右端側のいずれか一方若しくは双方にて、前記複数個の空間の貫通方向に指向性が高い発光ダイオードが内装される。
前記各空間の全てあるいは任意の空間のいずれかに配設されていればよく限定解釈はされない。
また、パネル本体の高さ方向で設けられている複数個の空間は、パネル本体の厚さ方向に備えたそれぞれ一個乃至複数個の厚さ方向隔壁により、パネル本体の厚さ方向でそれぞれ細分割したものであっても本考案の範囲内である。さらに、パネル本体の開放側である、左端側と右端側は、所定のカバー部材で覆う攻勢を採用することも勿論可能である。
その他の構成及び作用効果は実施例１と同様であるため説明は省略する。
【実施例４】
【００５９】
図１０は実施例４を示す。
本実施例は、本考案のパネル構造を、床パネルとして採用した実施の一形態である。
本実施形態は、単に使用形態が異なっているものであり、構成そのものは実施例１の形態と変わらないため、詳細な説明は省略する。なお、本実施形態の場合、床表面（踏付け面）側となる面寄り（図１０で上側の面）の空間には発光ダイオードを内装せずに、図１０で下側の空間Ｓにのみ発光ダイオード１０を内装するものとする。衝撃から発光ダイオード１０を保護するためである。
【図面の簡単な説明】
【００６０】
【図１】本考案のパネル構造の実施例１を採用した仮囲いの設置状態を背面側（施工現場の内側）から見た斜視図である。
【図２】本考案のパネル構造を採用した仮囲いの一部を省略して示す縦断面図である。
【図３】本考案のパネル構造を一部省略して示す縦断面図である。
【図４】本考案のパネル構造を一部省略して左壁側から見た側面図である。
【図５】本考案のパネル構造を一部省略して左壁側から見た縦断側面図である。
【図６】本考案のパネル構造であって、基板を備えた状態を一部省略した平面図である。
【図７】本考案のパネル構造であって、支柱に支持された状態を一部省略して示す横断面図である。
【図８】（ａ）は、一部省略したパネルカバーの斜視図、（ｂ）は柱上カバーの斜視図、（ｃ）は柱下カバーの略斜視図である。
【図９】本考案のパネル構造の実施例２を一部省略して左壁側から見た縦断側面図である。
【図１０】本考案のパネル構造の実施例４を一部省略するとともに、分解して示す斜視図である。
【符号の説明】
【００６１】
１  仮囲い
２  支柱
３  パネル本体
３０  前壁
３１  後壁
３２  左壁
３３  右壁
３４  幅方向隔壁
Ｈ１  高さ方向
Ｗ１  横幅方向
Ｌ１  厚さ方向
Ｓ  空間
８  発光部
９  基板
１０  発光ダイオード
１１  コネクタ
【図１】
0003148294.tif 000003
【図２】
0003148294.tif 000004
【図３】
0003148294.tif 000005
【図４】
0003148294.tif 000006
【図５】
0003148294.tif 000007
【図６】
0003148294.tif 000008
【図７】
0003148294.tif 000009
【図８】
0003148294.tif 000010
【図９】
0003148294.tif 000011
【図１０】
0003148294.tif 000012